(57)【要約】【課題】  液晶装置等の電気光学装置において、ラビングムラ及び横電界を低減する。【解決手段】  電気光学装置は、一対の第１及び第２基板間に電気光学物質が挟持されてなり、第１基板上における画素アレイ領域に、第１方向に延びる第１間隙領域及びこれに交差する第２方向に延びる第２間隙領域を隔てて相互に配置されることで、マトリクス状に配列された複数の画素電極を備え、第２基板上に対向電極を備える。複数の第１凸部は、第１基板上に、第２基板に向かって凸に夫々形成されると共に、第１間隙領域に夫々配置され、第１方向に相互に分離して島状に形成される。複数の第２凸部は、第２基板上に、第１基板に向かって凸に夫々形成されると共に、第２間隙領域と第１間隙領域との交差領域に夫々配置され、該交差領域毎に相互に分離してドット状に形成される。【選択図】  図５
2007025148.tif 000002
【特許請求の範囲】
【請求項１】
一対の第１及び第２基板間に電気光学物質が挟持されてなり、
前記第１基板上における画素アレイ領域に、第１方向に延びる第１間隙領域と、前記第１方向に交差する第２方向に延びる第２間隙領域と、を隔てて相互に配置されることで、マトリクス状に配列された複数の画素電極と、
前記第２基板上に、前記画素電極と対向配置された対向電極と、
前記第１基板上における前記第２基板と対向する側に、該第２基板に向かって凸に夫々形成されると共に、前記第１基板上で前記第１間隙領域に夫々配置され、前記第１方向に相互に分離して形成された複数の島状の第１凸部と、
前記第２基板上における前記第１基板と対向する側に、前記第１基板に向かって凸に夫々形成されると共に、前記第２基板上で、前記第２間隙領域と前記第１間隙領域とが交差する交差領域に対向して夫々配置され、該交差領域毎に相互に分離して形成された複数の第２凸部と
を備えたことを特徴とする電気光学装置。
【請求項２】
前記複数の第２凸部は夫々、前記交差領域内にドット状の凸部として形成されていることを特徴とする請求項１に記載の電気光学装置。
【請求項３】
前記複数の画素電極には、前記第１方向に沿って配列された複数の前記画素電極毎に基準電位に対して極性が反転された画像信号が供給されることを特徴とする請求項１又は２に記載の電気光学装置。
【請求項４】
前記複数の第１凸部は夫々、前記交差領域を含む前記第１間隙領域に、前記第１方向に沿って延びる島状の凸部として形成されていること
を特徴とする請求項１から３のいずれか一項に記載の電気光学装置。
【請求項５】
前記複数の第１凸部は夫々、前記交差領域に形成されていないと共に、前記交差領域を除く前記第１間隙領域内に形成されていることを特徴とする請求項１から３のいずれか一項に記載の電気光学装置。
【請求項６】
前記複数の第１凸部は、前記第１方向に沿って配列された複数のドット状の凸部として形成されていることを特徴とする請求項１から３のいずれか一項に記載の電気光学装置。
【請求項７】
前記複数の第１凸部及び前記複数の第２凸部の高さは夫々、前記第１及び第２基板間のギャップより小さいことを特徴とする請求項１から６のいずれか一項に記載の電気光学装置。
【請求項８】
前記複数の第１凸部及び前記複数の第２凸部は夫々、前記交差領域において相対向する位置に形成されており、
前記複数の第１凸部及び前記複数の第２凸部のうち相対向する対をなす第１凸部及び第２凸部の合計の高さは夫々、前記第１及び第２基板間のギャップより小さいことを特徴とする請求項１から７のいずれか一項に記載の電気光学装置。
【請求項９】
前記第１及び第２基板間のギャップが、前記第１凸部及び前記第２凸部のうち少なくとも一方によって規定されるように、前記第１凸部及び前記第２凸部のうち少なくとも一方が、柱状スペーサとして機能することを特徴とする請求項１から６のいずれか一項に記載の電気光学装置。
【請求項１０】
前記第１基板の前記第２基板に対向する側の最上層として形成されており、前記第１方向に沿う方向にラビング処理が施されている配向膜を備えたことを特徴とする請求項１から９のいずれか一項に記載の電気光学装置。
【請求項１１】
請求項１から１０のいずれか一項に記載の電気光学装置を具備してなることを特徴とする電子機器。
【発明の詳細な説明】
【技術分野】
【０００１】
本発明は、例えば液晶装置等の電気光学装置、及びそのような電気光学装置を具備してなる例えば液晶プロジェクタ等の電子機器の技術分野に関する。
【背景技術】
【０００２】
この種の電気光学装置の一例である液晶装置では、液晶を保持する一対の基板の夫々に設けられた画素電極及び対向電極間に所定の電圧を印加することによってこれら電極間に介在する液晶分子の配向性を制御し、画像が表示される。したがって、相対向する基板の間隔が画面内で均一でない場合には対向する電極間にかかる電界強度が画面内で相違し、画質上大きな問題となる。
【０００３】
加えて、液晶分子の配向を制御するポリイミド（ＰＩ）等の配向膜に膜厚ムラやラビングムラが発生した場合には、液晶の配向異常を引き起し、液晶表示装置で得られる画像品位が極端に劣化するという問題点がある。
【０００４】
これらの問題点を解決するために特許文献１は、２画素に一つの割合で市松模様に配置された柱状のスペーサを設けることによって、相対向する基板間の間隔を画面内で一定に保ちつつ、且つ配向膜にラビングムラが生じないように配向膜の凹凸を低減する技術を開示している。
【０００５】
また、この種の電気光学装置では一般に、直流電圧印加による液晶等の電気光学物質の劣化防止、表示画像におけるクロストークやフリッカの防止などのために、各画素電極に印加される電圧極性を所定規則で反転させる反転駆動方式が採用されている。このような反転駆動方式として、例えば一のフレーム又はフィールドの画像信号に対応する表示を行う間は、奇数行に配列された画素電極を所定の基準電位に対して正極性の電位で駆動すると共に偶数行に配列された画素電極を基準電位に対して負極性の電位で駆動し、これに続く次のフレーム又はフィールドの画像信号に対応する表示を行う間は、逆に偶数行に配列された画素電極を正極性の電位で駆動すると共に奇数行に配列された画素電極を負極性の電位で駆動する（即ち、同一行の画素電極を同一極性の電位により駆動しつつ、係る電位極性を行毎にフレーム又はフィールド周期で反転させる）１Ｈ反転駆動方式が、制御が比較的容易であり高品位の画像表示を可能ならしめる反転駆動方式として用いられている。
【０００６】
【特許文献１】特開２００３−１４０１５７号公報
【発明の開示】
【発明が解決しようとする課題】
【０００７】
この種の電気光学装置を１Ｈ反転駆動方式等の駆動方式で駆動した場合、ＴＦＴアレイ基板上で相隣接する画素電極のうち、印加電圧の極性が逆であるもの同士の間では、基板面に平行方向の電界（所謂、横電界）が生じるという問題がある。ここで横電界は、画素電極と、これに対向する対向電極との間に形成する縦電界によって動作制御されることが想定されている電気光学物質に対し、電気光学物質の動作不良を引き起こす。その結果、電気光学物質が横電界の影響を受ける領域では、光抜け等の変調不良が生じてコントラスト比が低下する。
【０００８】
しかしながら、特許文献１に開示された技術は、基板間の間隔を一定に維持しつつ、ラビングムラを低減する観点に注目して提案された技術であり、横電界を低減する技術については記載されていない。加えて、柱状のスペーサが素子基板及び対向基板の夫々に接しているため、画素の境界付近では横電界を有効に低減できる程度に配向膜の形状及びラビング状態の詳細な設計がなされているとは言い難い。より具体的には、ラビングムラを低減するために、配向膜のうち画素電極の境界付近に延びる部分とその周辺に延びる部分が平坦に連続して延在している場合には、配向膜の下側に形成された画素電極間に生じる電界のうち基板面に沿った成分、即ち横電界が画素電極の境界付近に存在する液晶分子に作用し、この液晶分子に対する配向制御が困難なものとなる。
【０００９】
本発明は上記問題点等に鑑みてなされたものであり、例えば、表示性能を低下させない程度に配向膜のラビングムラを低減可能であり、或いはこれに加えて又は代えて、横電界による液晶分子の配向の乱れを有効に低減可能であり、よって、液晶分子の配向の乱れに起因する光抜け等の画像表示上の不具合を低減できる電気光学装置及びこのような電気光学装置を具備してなる電子機器を提供することを課題とする。
【課題を解決するための手段】
【００１０】
本発明の電気光学装置は上記課題を解決するために、一対の第１及び第２基板間に電気光学物質が挟持されてなり、前記第１基板上における画素アレイ領域に、第１方向に延びる第１間隙領域と、前記第１方向に交差する第２方向に延びる第２間隙領域と、を隔てて相互に配置されることで、マトリクス状に配列された複数の画素電極と、前記第２基板上に、前記画素電極と対向配置された対向電極と、前記第１基板上における前記第２基板と対向する側に、該第２基板に向かって凸に夫々形成されると共に、前記第１基板上で前記第１間隙領域に夫々配置され、前記第１方向に相互に分離して形成された複数の島状の第１凸部と、前記第２基板上における前記第１基板と対向する側に、前記第１基板に向かって凸に夫々形成されると共に、前記第２基板上で、前記第２間隙領域と前記第１間隙領域とが交差する交差領域に対向して夫々配置され、該交差領域毎に相互に分離して形成された複数の第２凸部とを備える。
【００１１】
本発明の電気光学装置によれば、一対の第１及び第２基板間に、電気光学物質として、例えば液晶が挟持される。この電気光学物質は、例えば第１及び第２基板における相互に対向する表面に形成された配向膜により、電気光学装置を駆動させない状態で、所定の配向状態をとる。
【００１２】
例えば素子基板である第１基板上における画素アレイ領域には、複数の画素電極が、相互に間隙を隔ててマトリクス状に配列されている。画素アレイ領域には、例えば縦横に複数のデータ線及び複数の走査線が形成されており、これらデータ線及び走査線の交差に対応して画素領域が設けられている。即ち、例えばこのような各画素領域に対応する形で、マトリクス状に画素電極が配列され、各画素電極は、これに電気的に接続された画素スイッチング素子を介してデータ線及び走査線に電気的に接続される。
【００１３】
他方、例えば対向基板である第２基板上には、例えば対向電極が、画素電極と対向配置されている。対向電極は、典型的には、ベタ状に（即ち、基板表面にベタ一面に）形成されるが、これに限らず、ストライプ状、画素電極と同じく島状、セグメント状等であってもよい。
【００１４】
このように構成された電気光学装置の駆動時、第１基板上では、例えば各走査線は走査信号が供給されることにより、選択される。そして例えば、選択された走査線より走査信号が供給されることにより画素スイッチング素子がオン状態となると、データ線及び画素スイッチング素子を介して画素電極には画像信号が供給される。他方、対向基板上では、例えば対向電極は所定電位に維持される。これらの結果、画素毎に、電気光学物質には、画素電極及び対向電極の各々の電位によって規定される印加電圧が印加される。これにより、電気光学装置では、電気光学物質の配向状態を変化させて、例えば光源から入射される光を変調することにより、画像表示が行われる。
【００１５】
本発明の如き電気光学装置では一般に、１Ｈ反転駆動方式が採用される場合、複数の画素電極には、走査線に対応して配列された画素電極毎に、基準電位に対して極性が反転された画像信号が１水平期間毎に供給される。これにより、任意の１垂直期間（又は１フレーム期間或いは１フィールド期間）において、複数の走査線のうち互いに相隣接する走査線に対応して設けられた画素電極について、走査線を介して互いに隣接する画素電極は夫々異なる極性の電位に維持される。よって、例えば第１方向に沿って延びる走査線を介して互いに隣接する画素電極間に電位差が生じることにより、第１間隙領域で、横電界と呼ばれる基板面に平行な成分を有する電界が発生する。
【００１６】
更に電気光学装置では、１垂直期間毎に、複数の画素電極に、夫々、基準電位に対して極性が反転された画像信号を供給する１Ｖ反転駆動方式が採用されることもある。この場合においても、任意の１垂直期間において、１水平期間毎に、互いに隣接する走査線に対応して設けられた画素電極について、走査線を介して互いに隣接する画素電極が夫々異なる極性の電位に維持されることにより、例えば第１間隙領域で、横電界が発生する。
【００１７】
加えて、このような横電界は、上述の如き各種の反転駆動方式を採用するか否かに係わらず、相互に異なる電圧の画像信号が印加される際の隣接画素電極間に、両者間の電圧の相異に応じて大なり小なり発生するものである。即ち、第１間隙領域で発生する横電界の問題は、反転駆動を採用する場合に限られるものではない。
【００１８】
このような横電界に対して、仮に何らの対策も施さねば、前述した従来技術の如き画質劣化の問題が生じてしまう。
【００１９】
しかるに本発明の電気光学装置では特に、例えば素子基板である第１基板上には、複数の島状の第１凸部が形成されている。これらの第１凸部は、平面的に見て、画素電極の間隙のうち第１方向（例えば、走査線の延びる方向或いはＸ方向）に連なって延びる第１間隙領域に夫々配置されており、第１方向に相互に分離して形成されている。他方、例えば対向基板である第２基板上には、複数の第２凸部が、形成されている。これらの第２凸部は、平面的に見て、画素電極の間隙のうち第２方向（例えば、データ線の伸びる方向或いはＹ方向）に連なって延びる第２間隙領域と第１間隙領域とが交差する交差領域（例えば、各画素電極の角で、走査線とデータ線とが交わる領域）に夫々配置されており、交差領域毎に相互に分離して形成されている。
【００２０】
尚、凸部の表面は、典型的には、配向膜により覆われており、その他にも保護膜、絶縁膜等により覆われていてもよい。更に、例えば各基板上における配向膜の下地側に位置する画素電極の縁部分により部分的に覆われていてもよいし、基板表面の一面にベタ状に形成された対向電極により全面的に覆われていてもよい。
【００２１】
このように複数の第１凸部は夫々、第１基板上における第１間隙領域に、互いに接触しないようなサイズで、典型的には第１方向に延びる島状或いはドット状に形成され、互いに接触しないように配置される。他方、複数の第２凸部は夫々、第２基板上における交差領域に、互いに接触しないようなサイズで、典型的にはドット状に形成され、互いに接触しないように形成される。
【００２２】
従って、平面的に見て、交差領域を含む第１間隙領域では、第１凸部又は第２凸部が存在することにより、横電界の強度を低減することが可能となる。即ち、これらの凸部の誘電率を電気光学物質より高めることで、横電界が通過する電気光学物質が占める空間が、凸部に置き換えられることで、横電界は低減し得る。更に、凸部の存在によって、横電界が発生する領域における画素電極及び対向電極間の距離を短くすることもできるので、これにより縦電界を強めることで、相対的に横電界を弱めることも可能となる。
【００２３】
加えて、例えば、第１又は２凸部上に配向膜を形成した場合に、その基板表面における凸部の占める面積の割合を、例えば第１方向に沿ってライン状に延びる凸部を形成する場合と比較して、低減することになるので、凸部が形成された領域の広さに応じて発生するラビングスジを低減することも可能となる。この際特に、第１基板上におけるラビング方向を第１方向に合わせ、第２基板上におけるラビング方向を第２方向又は第１方向に合わせれば、第１凸部により発生するラビングスジを第１間隙領域内に止めると共に、第２凸部により発生するラビングスジを第２間隙領域内又は第１間隙領域内に止めることも可能となる。例えば、電気光学物質の動作モードを、ＴＮ（Twisted Nematic）モードやＳＴＮ（Super Twisted Nematic）モードとする場合には、第１基板上に形成された配向膜に対するラビング方向に対して、第２基板上に形成された配向膜に対するラビング方向は直角方向とされる。
【００２４】
以上の結果、例えば液晶の配向不良など、横電界による電気光学物質の動作不良が発生するのを防止することが可能となり、配向膜におけるラビングスジを低減することも可能となる。よって、電気光学物質に係る光抜け等の発生を防止し、表示画像におけるコントラスト比の低下、及び輝度の低下を防止することができる。
【００２５】
尚、上述の如き複数の島状の第１凸部を、第１基板上ではなく、第２基板上における第１基板と対向する側の、第１間隙領域に対向する領域に設けると共に、上述の如き複数の第２凸部を、第２基板上ではなく、第１基板上における第２基板と対向する側の、交差領域に対向する領域に設けることも可能である。このように構成しても、横電界による電気光学物質の動作不良が発生するのを相応に防止することが可能となり、配向膜におけるラビングスジを相応に低減することも可能となる。
【００２６】
本発明の電気光学装置の一態様では、前記複数の第２凸部は夫々、前記交差領域内に夫々ドット状の凸部として形成されている。
【００２７】
この態様によれば、第２凸部が形成された第２基板上において、例えば第２凸部より上層側に形成される配向膜の表面に、第２凸部の存在に起因して生じる凹凸、即ち凸部が形成された領域の広さを低減させることができる。よって、例えば第２基板上に形成される配向膜に対するラビング処理において、ラビングローラの周面を形成するクロスに、局所的に強い圧力が付与されることにより、クロスが著しく乱れるのを防止することが可能となる。
【００２８】
尚、このような複数の第２凸部は、例えば、インクジェット法により、有機材料により形成することで、精度良く且つ容易に形成可能である。
【００２９】
本発明の電気光学装置の他の態様では、前記複数の画素電極には、前記第１方向に沿って配列された画素電極毎に基準電位に対して極性が反転された画像信号が供給される。
【００３０】
この態様によれば、電気光学装置は、例えば１Ｈ反転駆動方式により駆動される。これにより、素子基板上の画像表示領域に、マトリクス状に配列された画素電極のうち、各行の画素電極は、基準電位に対して正極性若しくは負極性の電位により駆動され、係る電位極性は行毎に１垂直期間毎で反転される。従って、相隣接する画素電極のうち、印加電圧の極性が逆であるもの同士の間では、１垂直期間中、横電界が比較的顕著に生じることとなり、電気光学装置を１Ｖ反転駆動方式により駆動する場合と比較して、仮に何らの対策も施さねば、より顕著に横電界によって発生する表示不良が、表示画面において顕著に視認される恐れがある。
【００３１】
しかるに本態様によれば、このように例えば１Ｈ反転駆動方式を採用する場合も、互いに異なる極性の印加電圧により駆動される画素電極間に生じる横電界を低減することにより、一対の基板間において、電気光学物質の動作不良が発生するのを防止することができる。その結果、電気光学装置において高品質な画像表示を行うことが可能となる。
【００３２】
本発明の電気光学装置の他の態様では、前記複数の第１凸部は夫々、前記交差領域を含む前記第１間隙領域に、前記第１方向に沿って延びる島状の凸部として形成されている。
【００３３】
この態様によれば、平面的に見て第１間隙領域では、第１方向に沿って延びる島状の第１凸部の存在によって、横電界を確実に低減できる。しかも、第１基板上に配向膜を形成する際、島状の第１凸部の長手方向とラビング方向とを一致させてラビング処理を行うことにより、配向膜においてラビングスジが発生することや、多少なりとも発生したラビングスジによる悪影響が画素内に及ぶことを、効果的に防止することが可能となる。
【００３４】
或いは本発明の電気光学装置の他の態様では、前記複数の第１凸部は夫々、前記交差領域に形成されていないと共に、前記交差領域を除く前記第１間隙領域内に形成されている。
【００３５】
この態様によれば、平面的に見て第１間隙領域のうち交差領域を除く領域部分では、ドット状又は第１方向に延びる島状の第１凸部の存在によって横電界を低減できると共に、平面的に見て交差領域では、第２凸部の存在によって横電界を低減できる。この場合、第２凸部は、ドット状でもよいし、その他の形状でもよいが、交差領域に形成されている。しかも、第１基板上に配向膜を形成する際、第１方向とラビング方向とを一致させてラビング処理を行うことにより、配向膜においてラビングスジが発生することや、多少なりとも発生したラビングスジによる悪影響が画素内に及ぶことを、効果的に防止することが可能となる。
【００３６】
本発明の電気光学装置の他の態様では、前記複数の第１凸部は、前記第１方向に沿って配列された複数のドット状の凸部として形成されている。
【００３７】
この態様によれば、電気光学装置を製造する際、より簡易な製造プロセスにより、複数の第１凸部を形成することが可能となる。より具体的には、例えば、第１基板上において、第１間隙領域内に、インクジェット法により、有機材料により第１凸部を、単一ヘッドを用いた間欠的な塗布により、若しくはアレイヘッドを用いた一括塗布又は間欠的な塗布により形成する。これにより、第１間隙領域内に、精度良く且つ容易に、第１凸部を形成することができる。
【００３８】
本発明の電気光学装置の他の態様では、前記複数の第１凸部及び前記複数の第２凸部の高さは夫々、前記第１及び第２基板間のギャップより小さい。
【００３９】
この態様によれば、第１凸部及び第２凸部の存在により、基板間ギャップに影響を与えないようにすることも可能となり、例えば、電気光学物質中やシール材中に散布されるビーズ状やファイバ状の専用ギャップ材により、より精度良く基板間ギャップを制御することも可能となる。
【００４０】
本発明の電気光学装置の他の態様では、前記複数の第１凸部及び前記複数の第２凸部は夫々、前記交差領域において相対向する位置に形成されており、前記複数の第１凸部及び前記複数の第２凸部のうち相対向する対をなす第１凸部及び第２凸部の合計の高さは夫々、前記第１及び第２基板間のギャップより小さい。
【００４１】
この態様によれば、第１凸部及び第２凸部が平面的に見て交差領域内で相互に重なる位置に形成される場合であっても、それらの存在により、基板間ギャップに影響を与えないようにすることも可能となり、例えば、電気光学物質中やシール材中に散布されるビーズ状やファイバ状の専用ギャップ材により、より精度良く基板間ギャップを制御することも可能となる。
【００４２】
本発明の電気光学装置の他の態様では、前記第１及び第２基板間のギャップが、前記第１凸部及び前記第２凸部のうち少なくとも一方によって規定されるように、前記第１凸部及び前記第２凸部のうち少なくとも一方が、柱状スペーサとして機能する。
【００４３】
この態様では、第１凸部及び第２凸部のうち少なくとも一方は、柱状、或いは貝柱状と呼ばれるスペーサとして機能する。即ち、第１及び第２基板間のギャップは、第１凸部及び第２凸部のうち少なくとも一方の基板に対して垂直方向の高さにより決定されることとなる。よって、電気光学装置の製造プロセスにおいて、第１凸部及び第２凸部の形成とは別にギャップ材を形成する工程を省略して、より容易に電気光学装置を製造することができる。尚、このような柱状スペーサと、電気光学物質中やシール材中に散布されるビーズ状やファイバ状のギャップ材とを併用することも可能である。
【００４４】
本発明の電気光学装置の他の態様では、前記第１基板の前記第２基板に対向する側の最上層として形成されており、前記第１方向に沿う方向にラビング処理が施されている配向膜を備える。
【００４５】
この態様によれば、その動作時には、第１基板の最上層として形成された配向膜によって、電気光学物質の配向状態を規制できる。尚、第２基板の最上層としても、同様に配向膜が形成されてよい。ここで特に、第１基板側の配向膜には、第１方向に沿う方向にラビング処理が施されているので、第１凸部が形成されているにもかかわらず、これに起因したラビングスジを、低減可能となる。即ち、ラビング時に、ラビングローラの周面を形成するクロスの一部分が著しく乱れるのを防止して、ラビング処理を良好に行うことが可能となる。しかも、第１凸部に起因して多少なりとも発生したラビングスジを、第１間隙領域内に止める、即ち画素内に入り込まないようにすること可能となる。
【００４６】
本発明の電子機器は上記課題を解決するために、上述した本発明の電気光学装置（但し、その各種態様を含む）を具備する。
【００４７】
本発明の電子機器は、上述した本発明の電気光学装置を具備してなるので、高品質の画像表示を行うことが可能な、投射型表示装置、テレビ、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明の電子機器として、例えば電子ペーパなどの電気泳動装置、電子放出装置（Field Emission Display及びConduction Electron-Emitter Display）、これら電気泳動装置、電子放出装置を用いた装置としてDLP（Digital  Light  Processing）等を実現することも可能である。
【００４８】
本発明のこのような作用及び他の利得は次に説明する実施の形態から明らかにされる。
【発明を実施するための最良の形態】
【００４９】
以下、図面を参照しながら本実施形態の電気光学装置及びその製造方法、並びにこのような電気光学装置を具備してなる、本実施形態の電子機器を説明する。本実施形態では、本発明に係る電気光学装置を液晶装置に適用した例を説明する。
【００５０】
先ず、本実施形態に係る液晶装置１の主な構成について、図１から図４を参照して説明する。
【００５１】
図１は、液晶装置１のうち、表示パネルの等価回路を表している。図２及び図３は、本発明に係る「素子基板」の一例であるＴＦＴアレイ基板上の画素領域に係る部分構成を表す平面図である。尚、図２及び図３の夫々は、後述する積層構造のうち下層部分（図２）と上層部分（図３）に相当する。図４は、図２及び図３を重ね合わせた場合のＡ−Ａ´断面図である。尚、図４においては、各層・各部材を図面上で認識可能な程度の大きさとするため、該各層・各部材の縮尺比率を適宜に変えてある。
【００５２】
（表示パネルの原理的構成）
図１において、表示パネルでは、複数の走査線１１a及び複数のデータ線６aが相交差するように配列されており、その線間に、走査線１１a、及びデータ線６aの夫々によって規定された画素領域Ｐ０が設けられている。各画素領域Ｐ０には、画素スイッチング素子の一例であるＴＦＴ３０、画素電極９a及び蓄積容量７０が設けられている。尚、画素スイッチング素子はＴＦＴのほか、各種トランジスタ或いはＴＦＤ等により構成されてもよい。
【００５３】
画素領域Ｐ０において、ＴＦＴ３０は、データ線６aから供給される画像信号Ｓ１、Ｓ２、・・・、Ｓｎを選択画素に印加するために設けられ、ゲートが走査線１１ａに電気的に接続され、ソースがデータ線６ａに電気的に接続され、ドレインが画素電極９ａに電気的に接続されている。画素電極９ａは、後述の対向電極２１との間で液晶容量を形成する。これにより、液晶装置１では、画像信号Ｓ１、Ｓ２、・・・、Ｓｎを、データ線６ａを介して画素領域Ｐ０に印加し、画素領域Ｐ０において一定期間保持するようになっている。蓄積容量７０の一方の電極は、画素電極９ａと並列してＴＦＴ３０のドレインに電機的に接続され、他方の電極は、定電位となるように、電位固定の容量配線４００に電気的に接続されている。
【００５４】
液晶装置１は、例えばＴＦＴアクティブマトリクス駆動方式を採り、図示しない駆動回路から各走査線１１ａに走査信号Ｇ１、Ｇ２、・・・、Ｇｍを線順次に印加すると共に、それによってＴＦＴ３０がオン状態となって選択された画素領域Ｐ０に、図示しない駆動回路からデータ線６ａに画像信号Ｓ１、Ｓ２、・・・、Ｓｎを印加するようになっている。この際、画像信号Ｓ１、Ｓ２、・・・、Ｓｎを各データ線６ａに線順次に供給してゆくようにしてもよいし、複数のデータ線６ａ（例えばグループ毎）に同じタイミングで供給するものとしてもよい。これにより、画像信号Ｓ１、Ｓ２、・・・、Ｓｎが選択された画素領域Ｐ０の画素電極９ａに供給される。表示パネルは、ＴＦＴアレイ基板１０と対向基板２０とが液晶層５０を介して対向配置されているので（図４参照）、以上のようにして区画配列された画素領域Ｐ０毎に液晶層５０に電界を印加することにより、両基板間の透過光量が画素領域Ｐ０毎に制御され、画像が階調表示される。また、このとき各画素領域Ｐ０に保持された画像信号Ｓ１、Ｓ２、・・・、Ｓｎは、蓄積容量７０によりリークが防止される。例えば、画素電極１１８の電圧は、ソース電圧が印加された時間よりも３桁も長い時間だけ蓄積容量７０により保持されるので、保持特性が改善される結果、高コントラスト比が実現されることとなる。
【００５５】
（表示パネルの具体的構成）
次に、上述の動作が実現される液晶装置１の具体的な構成について、図２から図４を参照して説明する。
【００５６】
図２から図４において、上述の回路要素及び画素電極９ａは、ＴＦＴアレイ基板１０上に形成されている。ＴＦＴアレイ基板１０は、例えば、ガラス基板、石英基板、ＳＯＩ基板、半導体基板等からなり、対向基板２０と対向配置されている。尚、対向基板２０も、ＴＦＴアレイ基板１０と同様の透明材料により形成されるのが好ましい。
【００５７】
回路要素は画素電極９ａを駆動するために設けられ、ここでは、ＴＦＴアレイ基板１０の直上から画素電極９ａの直下までの範囲内に積層された、走査線１１ａから第４層間絶縁膜４４までを指している（図４参照）。また、画素電極９ａ（図３中、破線９ａ´で輪郭が示されている）は縦横に区画配列された画素領域Ｐ０の各々に配置され、その境界にデータ線６ａ及び走査線１１ａが格子状に配列するように形成されている（図２及び図３参照）。
【００５８】
各回路要素を構成するパターニングされた導電膜は、下から順に走査線１１ａを含む第１層、ゲート電極３ａを含む第２層、蓄積容量７０の固定電位側容量電極を含む第３層、データ線６ａ等を含む第４層、容量配線４００等を含む第５層からなる。また、第１層−第２層間には下地絶縁膜１２、第２層−第３層間には第１層間絶縁膜４１、第３層−第４層間には第２層間絶縁膜４２、第４層−第５層間には第３層間絶縁膜４３、第５層と画素電極９ａの間には第４層間絶縁膜４４が夫々設けられ、前述の各要素間が短絡することを防止している。尚、このうち、第１層から第３層が下層部分として図２に示され、第４層、第５層及び画素電極９ａが上層部分として図３に示されている。
【００５９】
＜第１層の構成−走査線等−＞
第１層は、走査線１１ａで構成される。走査線１１ａは、図２のＸ方向に沿って延びる本線部と、データ線６ａ或いは容量配線４００が延在する図２のＹ方向に延びる突出部とからなる形状にパターニングされている。このような走査線１１ａは、例えば導電性ポリシリコンからなり、その他にもＴｉ、Ｃｒ、Ｗ、Ｔａ、Ｍｏ等の高融点金属のうちの少なくとも一つを含む金属単体、合金、金属シリサイド、ポリシリサイド又はこれらの積層体等により形成することができる。
【００６０】
＜第２層の構成−ＴＦＴ等−＞
第２層は、ＴＦＴ３０及び中継電極７１９で構成されている。ＴＦＴ３０は、例えばＬＤＤ（Lightly Doped Drain）構造とされ、ゲート電極３ａ、半導体層１ａ、ゲート電極３ａと半導体層１ａを絶縁するゲート絶縁膜を含んだ絶縁膜２を備えている。ゲート電極３ａは、例えば導電性ポリシリコンで形成される。半導体層１ａは、例えばポリシリコンからなり、チャネル領域１ａ´、低濃度ソース領域１ｂ及び低濃度ドレイン領域１ｃ、並びに高濃度ソース領域１ｄ及び高濃度ドレイン領域１ｅからなる。尚、ＴＦＴ３０は、ＬＤＤ構造を有することが好ましいが、低濃度ソース領域１ｂ、低濃度ドレイン領域１ｃに不純物打ち込みを行わないオフセット構造であってもよいし、ゲート電極３ａをマスクとして不純物を高濃度に打ち込んで高濃度ソース領域及び高濃度ドレイン領域を形成する自己整合型であってもよい。また、中継電極７１９は、例えばゲート電極３ａと同一膜として形成される。
【００６１】
ＴＦＴ３０のゲート電極３ａは、下地絶縁膜１２に形成されたコンタクトホール１２ｃｖを介して走査線１１ａに電気的に接続されている。下地絶縁膜１２は、例えばシリコン酸化膜等からなり、第１層と第２層の層間絶縁機能の他、ＴＦＴアレイ基板１０の全面に形成されることで、基板表面の研磨による荒れや汚れ等が惹き起こすＴＦＴ３０の素子特性の変化を防止する機能を有している。
【００６２】
＜第３層の構成−蓄積容量等−＞
第３層は、蓄積容量７０で構成されている。蓄積容量７０は、容量電極３００と下部電極７１とが誘電体層を介して対向配置された構成となっている。このうち、容量電極３００は、容量配線４００に電気的に接続されている。下部電極７１は、ＴＦＴ３０の高濃度ドレイン領域１ｅ及び画素電極９ａの夫々に電気的に接続されている。
【００６３】
下部電極７１と高濃度ドレイン領域１ｅとは、第１層間絶縁膜４１に開孔されたコンタクトホール８３を介して電気的に接続されている。また、下部電極７１と画素電極９ａとは、コンタクトホール８８１、８８２、８０４、及び中継電極７１９、第２中継電極６ａ２、第３中継電極４０２により各層を中継し、コンタクトホール８９において電気的に接続されている。
【００６４】
このような容量電極３００、下部電極７１には、例えば導電性のポリシリコンが用いられ、誘電体層には酸化シリコンが用いられる。また、第１層間絶縁膜４１は、例えば、ＮＳＧ（ノンシリケートガラス）によって形成されている。その他、第１層間絶縁膜４１には、ＰＳＧ（リンシリケートガラス）、ＢＳＧ（ボロンシリケートガラス）、ＢＰＳＧ（ボロンリンシリケートガラス）等のシリケートガラス、窒化シリコンや酸化シリコン等を用いることができる。
【００６５】
尚、この場合の蓄積容量７０は、図２の平面図からわかるように、画素電極９ａの形成領域にほぼ対応する画素領域Ｐ０に至らないように（遮光領域内に収まるように）形成されているので、画素開口率が比較的大きく維持されている。
【００６６】
＜第４層の構成−データ線等−＞
第４層は、データ線６ａで構成されている。データ線６ａは、下から順にアルミニウム、窒化チタン、窒化シリコンの三層膜として形成されている。窒化シリコン層は、その下層のアルミニウム層と窒化チタン層を覆うように少し大きなサイズにパターニングされている。また、第４層には、データ線６ａと同一膜により、容量配線用中継層６ａ１及び第２中継電極６ａ２が形成されている。これらのデータ線６ａ、配線用中継層６ａ１、及び第２中継電極６ａ２は、図３に示したように、夫々が互いに電気的に分断されるようなパターンとして形成されている。
【００６７】
このうち、データ線６ａは、第１層間絶縁膜４１及び第２層間絶縁膜４２を貫通するコンタクトホール８１を介して、ＴＦＴ３０の高濃度ソース領域１ｄと電気的に接続されている。
【００６８】
また、容量配線用中継層６ａ１は、第２層間絶縁膜４２に開孔されたコンタクトホール８０１を介して容量電極３００と電気的に接続され、容量電極３００と容量配線４００との間を中継している。容量配線用中継層６ａ２は、前述したように、第１層間絶縁膜４１及び第２層間絶縁膜４２を貫通するコンタクトホール８８２を介して中継電極７１９に電気的に接続されている。このような層間絶縁膜４２は、例えばＮＳＧ、ＰＳＧ、ＢＳＧ、ＢＰＳＧ等のシリケートガラス、窒化シリコンや酸化シリコン等によって形成することができる。
【００６９】
＜第５層の構成−容量配線等−＞
第５層は、容量配線４００及び第３中継電極４０２により構成されている。容量配線４００は、表示パネルの画像表示領域の周囲にまで延設され、定電位源と電気的に接続されることで、固定電位とされている。この容量配線４００は、図３に示すように、Ｘ方向、Ｙ方向に延在する格子状に形成され、Ｘ方向に延在する部分には、第３中継電極４０２の形成領域を確保するために切り欠きが設けられている。また、容量配線４００は、その下層のデータ線６ａ、走査線１１ａ、ＴＦＴ３０等を覆うように、これら回路要素の構造よりも幅広に形成されている。これにより、各回路要素は遮光され、入射光を反射させて投射画像における画素の輪郭がぼやける等の悪影響が防止されている。
【００７０】
更に、容量配線４００のＸ方向延在部分とＹ方向延在部分とが丁度交差する角部は、略三角形の庇部がわずかに突き出すような形状となっている。この庇部により、ＴＦＴ３０の半導体層１ａに対する光の遮蔽を効果的に行うことができる。即ち、半導体層１ａに対して斜め上方から進入する光を、庇部が反射又は吸収することにより、ＴＦＴ３０における光リーク電流の発生を抑制し、フリッカ等のない高品質な画像を表示することが可能となる。
【００７１】
このような容量配線４００は、第３層間絶縁膜４３に開孔されたコンタクトホール８０３を介して、容量配線用中継層６ａ１と電気的に接続されている。
【００７２】
また、第４層には、容量配線４００と同一膜により、第３中継電極４０２が形成されている。第３中継電極４０２は、前述のように、コンタクトホール８０４及びコンタクトホール８９を介して、第２中継電極６ａ２−画素電極９ａ間を中継している。尚、これら容量配線４００及び第３中継電極４０２は、例えばアルミニウム、窒化チタンを積層した二層構造となっている。
【００７３】
第４層の上には、全面に第４層間絶縁膜４４が形成されている。第４層間絶縁膜４４には、画素電極９ａー第３中継電極４０２間を電気的に接続するためのコンタクトホール８９が開孔されている。
【００７４】
＜画素電極＞
第４層間絶縁膜４４の表面は、例えばＣＭＰ処理によって平坦化され、その上に画素電極９ａが画素領域Ｐ０毎に配置されている（図３）。本実施形態では、同じく第４層間絶縁膜４４の上に、第１凸部９０ａが設けられている。第１凸部９０ａの詳細な機能、構成については、後述する。尚、画素電極９ａは、例えばＩＴＯ（Indium Tin Oxide）等の透明導電材料からなり、第１凸部９０ａは、例えば窒化シリコンや酸化シリコン等の絶縁材料により形成できる。また、画素電極９ａ及び第１凸部９０ａは、これらより上層側に形成された配向膜１６によって覆われている。
【００７５】
＜対向基板上の構成＞
他方、対向基板２０には、その対向面上の画像表示領域の概ね全体的に対向電極２１が設けられており、更にその上（図４では対向電極２１の下側）に配向膜２２が設けられている。対向電極２１は、画素電極９ａと同様、例えばＩＴＯ膜等の透明導電性膜からなる。尚、対向基板２０と対向電極２１の間には、ＴＦＴ３０における光リーク電流の発生等を防止するため、少なくともＴＦＴ３０と正対する領域を覆うように遮光膜２３が設けられている。
【００７６】
また、対向基板２０と遮光膜２３との間には、対向基板２０上に平面的に見て、走査線１１ａ及びデータ線６ａの交差に対応する交差領域に配置されて、第２凸部９０ｂが設けられている。第２凸部９０ｂの詳細な機能、構成については、第１凸部９０ａと共に後述するが、好ましくは、第２凸部９０ｂは、第１凸部９０ａと同様の絶縁材料により形成される。
【００７７】
以上のように構成されたＴＦＴアレイ基板１０と対向基板２０の間には、液晶層５０が設けられている。液晶層５０は、一対の基板１０及び２０間において、これらの基板の周縁部をシール材により封止して形成した空間に液晶を封入して形成される。液晶層５０は、画素電極９ａと対向電極２１との間に電界が印加されていない状態において、ラビング処理等の配向処理が施された配向膜１６及び配向膜２２によって、所定の配向状態をとるようになっている。
【００７８】
＜第１及び第２凸部の機能及び構成＞
次に、液晶装置１の特徴部分について、図１から図４に加えて、図５から図９を参照して説明する。
【００７９】
図５（ａ）は、ＴＦＴアレイ基板上１０の任意の４つの画素電極９ａに着目して、これらの画素電極９ａと第１凸部９０ａとの配置関係を概略的に示す概略平面図であり、図５（ｂ）は、対向基板２０上において、任意の４つの画素電極９ａに対する第２凸部９０ｂの配置に係る構成を概略的に示す概略平面図である。また、図６は、図５に示すＢ−Ｂ´線における拡大断面図である。
【００８０】
図１又は図２に示すように、ＴＦＴアレイ基板１０上に配線された複数の走査線１１ａのうち、互いに相隣接する走査線１１ａに対応して設けられた画素電極９ａについて、図５（ａ）に示すように、これらの画素電極９ａのうち、走査線１１ａを介して相隣接する画素電極９ａ間を、ＴＦＴアレイ基板１０上に平面的に見て、走査線１１ａの延在方向に沿って延びる領域Ｊ０内に、第１凸部９０ａは形成される。尚、図５（ｂ）において、点線によって囲まれる領域９００が、図５（ａ）に示す、ＴＦＴアレイ基板１０上に形成された４つの画素電極９ａの、対向基板２０上における各々の配置位置となる。
【００８１】
本実施形態では、走査線１１ａの延在方向に沿って延びる領域Ｊ０内において、第１凸部９０ａは、走査線１１ａ及びデータ線６ａの交差に対応する交差領域Ｆに配置され、長手方向が交差領域Ｆから走査線１１ａの延在方向に沿って延びる島状の凸部として、形成されている。尚、本実施形態では、走査線１１ａの延在方向（即ち、Ｘ方向）が、本発明の係る「第１方向」の一例に相当し、データ線６ａの延在方向（即ち、Ｙ方向）が、本発明の係る「第２方向」の一例に相当する。
【００８２】
また、図５（ｂ）に示すように、対向基板２０上において、平面的に見て、走査線１１ａの延在方向に沿って延びる領域Ｊ０内であって、交差領域Ｆ内に、第２凸部９０ｂは、例えばドット状の凸部として、形成されている。
【００８３】
ここで、図６においては、図４に示す断面部分の構成について、特に、第１凸部９０ａ及び第２凸部９０ｂ付近の一部分を更に拡大して示してある。図６に示すように、第１凸部９０ａの、ＴＦＴアレイ基板１０に対して垂直方向の高さｄ１ａは、例えば、画素電極９ａより高く、該第１凸部９０ａの存在に起因して配向膜１６の表面に発生する凸部１６ａが、対向基板２０側の配向膜２２の表面に接触しないような値、例えば０．５μｍ程度として、形成されている。
【００８４】
また、第２凸部９０ｂは、例えば、対向基板２０に対して垂直方向の高さｄ１ｂが、第１凸部９０ａと同様に、第２凸部９０ｂの存在に起因して配向膜２２の表面に発生する凸部２２ａが、ＴＦＴアレイ基板１０側の配向膜１６の表面に接触しないような値として、形成されている。
【００８５】
よって、ＴＦＴアレイ基板１０上において、各交差領域Ｆに配置されて、第１凸部９０ａは複数形成されると共に、対向基板２０上において、各交差領域Ｆに配置されて、第２凸部９０ｂが複数形成される。
【００８６】
そして、前記走査線１１ａの延在方向に沿って延びる領域Ｊ０内において、画素電極９ａを挟んで相隣接する第１凸部９０ａは、互いに接触しないように分離されて形成されている。このため、前記走査線１１ａの延在方向に沿って延びる領域Ｊ０内に配置された第１凸部９０ａは、夫々、隣接する第１凸部９０ａとの間隔を所定値として、走査線１１ａに沿う方向に配列されると共に、第１凸部９０ａのサイズｒ１ａを所定値として形成される。
【００８７】
また、対向基板２０上において、複数の第２凸部９０ｂも、夫々、第１凸部９０ａと同様に、隣接する第２凸部９０ｂとの間隔を所定値として配列されると共に、第２凸部９０ｂのサイズｒ１ｂを所定値として、互いに分離されて形成される。
【００８８】
ここで、液晶装置１では、１Ｈ反転駆動方式や、１Ｖ反転駆動方式が採用される。このような駆動方式を採用して、液晶層５０への印加電圧の極性を周期的に反転させると、液晶に直流電圧が印加されるのが防止され、液晶の劣化が抑制される。特に、１Ｈ反転駆動方式では、画素電極９ａの行毎に印加電圧の極性を逆としているので、クロストークやフリッカが低減される。
【００８９】
時間軸上で互いに連続する２つの垂直期間について、図７（ａ）及び図７（ｂ）は、１Ｈ反転駆動方式を説明するための模式図であって、図８（ａ）から図８（ｄ）は、１Ｖ反転駆動方式を説明するための模式図である。
【００９０】
１Ｈ反転駆動方式では、ＴＦＴアレイ基板１０上にマトリクス状に配列された複数の画素電極９ａには、走査線１１ａに対応して配列された画素電極９ａ毎に、所定電位に対して高位側つまり正極性（＋）、及び低位側つまり負極性（−）のいずれかに電位が極性が反転された画像信号が１水平期間毎に供給される。これにより、図７（ａ）に示すように、任意の１垂直期間において、複数の走査線１１ａのうち互いに相隣接する走査線１１ａに対応して設けられた画素電極９ａについて、走査線１１ａを介して互いに隣接する画素電極９ａは夫々異なる極性の電位に維持される。その後、時間軸上で連続する次の１垂直期間においては、図７（ｂ）に示すように、画像表示領域１０ａにおいて、走査線１１ａに対応して設けられた画素電極９ａ毎に、基準電位に対して極性が反転される。よって、このように極性が反転された後も、走査線１１ａを介して互いに隣接する画素電極９ａは夫々異なる極性の電位に維持される。
【００９１】
そして、図７（ａ）及び図７（ｂ）に示すように、走査線１１ａを介して互いに隣接する画素電極９ａは、互いに異なる極性の電圧を有する画像信号により駆動されることにより、これらの画素電極９ａ間に電位差が生じ、前記走査線１１ａの延在方向に沿って延びる領域Ｊ０には横電界が発生する。特に、１Ｈ反転駆動方式によれば、１垂直期間中横電界が生じることとなり、１Ｖ反転駆動方式と比較して、横電界が発生する時間的な長さは長くなる。従って、１Ｖ反転駆動方式と比較して、より顕著に横電界によって発生する表示不良が、表示画面において顕著に視認される恐れがある。
【００９２】
また、１Ｖ反転駆動方式では、ＴＦＴアレイ基板１０上の画像表示領域１０ａに、マトリクス状に配列された複数の画素電極９ａには、夫々、基準電位に対して正極性（＋）及び負極性（−）のいずれかに、１垂直期間毎に極性が反転された画像信号を供給される。
【００９３】
即ち、図８（ａ）に示すように、任意の１垂直期間が終了した状態において、複数の画素電極９ａは、同一の極性即ち正極性（＋）の電位に維持されている。続いて、この任意の１垂直期間に、時間軸上で連続する次の１垂直期間が開始されると、図８（ｂ）及び図８（ｃ）に示すように、１水平期間毎に、正極性（＋）とは逆極性、即ち負極性（−）の電圧を有する画像信号が、走査線１１ａに沿う各行の画素電極９ａに、例えば線順次に供給される。そして、次の１垂直期間が終了すると、複数の画素電極９ａは、正極性（＋）とは逆極性の、同一の負極性（−）の電位に維持される。
【００９４】
よって、１Ｖ反転駆動方式においても、図８（ｂ）及び図８（ｃ）に示すように、１水平期間毎に、走査線１１ａを介して互いに隣接する画素電極９ａが、互いに異なる極性の電位に維持されることとなり、これらの画素電極９ａ間に電位差が生じ、これらの画素電極９ａ間を前記走査線１１ａの延在方向に沿って延びる領域Ｊ０には横電界が発生する。
【００９５】
図９は、図６に示す断面部分の構成について、駆動時の領域Ｊ０付近の電気力線の分布状態を模式的に表す図であり、図１０は、本実施形態の比較例について、図６に示す断面部分に対応する構成について、駆動時の領域Ｊ０付近の電気力線の分布状態を模式的に表す図である。尚、図９及び図１０中の点線矢印は電気力線の方向を表し、その分布密度は電界強度に必ずしも対応してはおらず、その長さは電界強度を表すものではない。
【００９６】
液晶装置１の駆動時、上述したように、ＴＦＴアレイ基板１０上の領域Ｊ０において、横電界は、走査線１１ａを介して互いに相隣接する画素電極９ａ間、及び交差領域Ｆを介して向かいあって配置され夫々異なる極性の印加電圧により駆動される画素電極９ａ間で発生する。よって、前記走査線の延在方向に沿って延びる領域Ｊ０では、対向基板２０側よりも、ＴＦＴアレイ基板１０側のほうにおいて横電界の強度は強くなる。
【００９７】
図９に示すように、互いに隣接する走査線１１ａに対応して設けられた画素電極の縁部９ａ１及び９ａ２の間に、画素電極９ａの高さより高くなるように形成された第１凸部９０ａが存在する。よって、液晶装置１の駆動時、第１凸部９０ａと画素電極の縁部９ａ１及び９ａ２との高低差に起因して、互いに異なる極性の印加電圧により駆動される画素電極の縁部９ａ１及び９ａ２の間において、横電界は、図９中、画素電極の縁部９ａ１及び９ａ２の一方から他方へ向かう点線矢印で示されるように、ＴＦＴアレイ基板１０の基板面に対して傾きを持って生じる。
【００９８】
他方、図１０において、比較例による構成によれば、ＴＦＴアレイ基板１０及び対向基板２０上に、第１及び第２凸部９０ａ及び９０ｂが形成されていない点が、本実施形態とは異なっている。よって、この場合、画素電極の縁部９ａ１及び９ａ２の間において、該縁部９ａ１及び９ａ２間に露出する、後述するように平坦化処理が施された第４層間絶縁膜４４の表面に平行な方向に、横電界が生じることとなる。
【００９９】
このような比較例と比較して、本実施形態では、横電界を、上述したように、ＴＦＴアレイ基板１０の基板面に対して傾きを持って発生させることで、互いに異なる極性の印加電圧により駆動される画素電極９ａ間に、電気力が集中することにより、比較的強い横電界が発生するのを防止する、即ち横電界を弱めることが可能となる。尚、第１凸部９０ａを液晶材料よりも透磁率が低い材料から構成すれば、ＴＦＴアレイ基板１０及び対向基板２０間の液晶の存在する領域において、第１凸部９０ａで置き換えられる分だけ横電界が低減される。
【０１００】
従って、本実施形態では、走査線１１ａの配線間隔を広げる等により、走査線１１ａを介して互いに隣接する画素電極９ａ間の距離を変化させるような設計変更を行わないでも、横電界を低減することができる。これにより、液晶装置１において、画素の狭ピッチ化や開口率の向上を図る場合に有利である。
【０１０１】
また、比較例では、横電界が画素電極９ａの面上に広がって発生するため、平面的に見て遮光膜２３から外れた領域、即ち画像表示が行われる開口領域でも液晶の配向が乱れてしまう。これにより開口領域の端部だけが白く見える光抜けの原因となる。
【０１０２】
これに対し、本実施形態においては、液晶層５０において平面的に見た横電界の影響を受ける領域を、比較例に比べて狭くすることができる。加えて、図９中において、領域Ｃ１３における配向膜１６は第１凸部９０ａを設けた分だけ領域Ｃ１２及びＣ１４より配向性が弱いが、領域Ｃ１３における液晶は、配向方向が揃った領域Ｃ１２、Ｃ１４の液晶との間に働く相互作用、即ち分子間力等によって、これら領域Ｃ１２、Ｃ１４の液晶と同方向に配向が揃う。これにより、領域Ｃ１２から領域Ｃ１４まで液晶が一様に良好な配向状態を保つことができる。
【０１０３】
よって、本実施形態では、液晶が配向不良となる領域を遮光膜２３もよりも狭い領域にすることができ、光抜け等の表示不良が発生するのを防止することができる。
【０１０４】
更に、図９において、対向基板２０上では、第２凸部９０ｂより上層側（即ち、図９中、第２凸部９０ｂより下側）に対向電極２１が形成されることにより、画素電極９ａ及び対向電極２１間における縦電界を強めることができる。このような縦電界によれば、画素電極９ａ間における横電界を相対的に弱めることが可能となる。
【０１０５】
加えて、図５（ａ）を参照して説明したように、ＴＦＴアレイ基板１０上に、島状の凸部として第１凸部９０ａを形成することにより、このような島状の第１凸部９０ａを対向基板２０側に配置して、ドット状の第２凸部９０ｂをＴＦＴアレイ基板１０側に形成する場合と比較して、前記走査線１１ａの延在方向に沿って延びる領域Ｊ０において、走査線１１ａを介して互いに相隣接する画素電極９ａ間に加えて、交差領域Ｆを介して向かいあって配置された画素電極９ａ間で発生する横電界を、より低減させることができる。即ち、横電界が発生するＴＦＴアレイ基板１０側において、前記走査線の延在方向に沿って延びる領域Ｊ０内で、概ね全体的に、横電界をより効果的に低減させることが可能となる。
【０１０６】
従って、本実施形態によれば、ＴＦＴアレイ基板１０及び対向基板２０間において、前記走査線１１ａの延在方向に沿って延びる領域Ｊ０で、横電界により、液晶の動作不良が発生するのを防止することが可能となる。その結果、光抜け等の発生を防止し、表示画像におけるコントラスト比の低下、及び輝度の低下を防止することができる。
【０１０７】
＜配向処理＞
本実施形態では、上述したように横電界を低減させるのみではなく、配向膜１６及び２２におけるラビングスジの発生を防止することができる。以下に、係る効果について、図１から図６を参照して、詳細に説明する。
【０１０８】
配向膜１６及び２２は、夫々例えばポリイミド等の有機材料に形成される。尚、ＴＦＴアレイ基板１０及び対向基板２０のいずれか一方上にのみ配向膜を形成するか、或いはこれらのいずれか一方上に形成される配向膜を無機材料により形成するようにしてもよい。
【０１０９】
有機材料により形成された配向膜１６及び２２に対するラビング処理では、液晶の配向制御により、ＴＦＴアレイ基板１０及び対向基板２０の各々において、該基板上に形成された配向膜１６若しくは２２に対するラビング方向が決定される。例えば、液晶の動作モードを、ＴＮモードやＳＴＮモードとする場合には、ＴＦＴアレイ基板１０及び対向基板２０のうち一方の基板上に形成された配向膜に対するラビング方向に対して、他方の基板上に形成された配向膜に対するラビング方向は垂直方向となる。
【０１１０】
図５（ａ）及び図５（ｂ）中には、このように、配向膜１６及び配向膜２２の各々に対するラビング方向が互いに垂直となる場合について示してある。配向膜１６又は２２に対するラビング処理は、例えば、周面が布等のクロス材により形成されたラビングローラを用いて、このラビングローラの周面に配向膜の表面を当接させることにより行う。
【０１１１】
本実施形態では、図５（ａ）中、矢印Ｒｂ１によって示すように、ＴＦＴアレイ基板１０上において、配向膜１６に対するラビング処理は、ラビング方向を、走査線１１ａの延在方向に一致させて行うようにするとよい。この場合、夫々、島状の凸部として形成された複数の第１凸部９０ａの配列方向、及び第１凸部９０ａの長手方向にラビング方向を一致させることができる。
【０１１２】
また、ＴＦＴアレイ基板１０上において、複数の第１凸部９０ａは夫々互いに分離して形成されるため、例えば、ＴＦＴアレイ基板１０上に平面的に見て、第１凸部９０ａを走査線１１ａに沿って前記走査線１１ａの延在方向に沿って延びる領域Ｊ０内に、ライン状に形成する場合と比較して、配向膜１６ａの表面に、第１凸部９０ａの存在に起因して生じる凹凸を低減させることができる。
【０１１３】
従って、ラビングローラの周面を形成するクロスのうち、複数の第１凸部９０ａの存在に起因して配向膜１６の表面に形成された凸部１６ａに当接される一部分において、該凸部１６ａとの接触によって付与される圧力を低減することが可能となる。その結果、ラビングローラの周面を形成するクロスのうち、配向膜１６の表面における凸部１６ａに接触する部分が、他の部分と比較して、著しく乱されるのを防止することができる。従って、ラビングローラの周面を形成するクロスの一部分が著しく乱れることにより、配向膜１６においてラビングスジが顕著に発生するのを防止することが可能となる。
【０１１４】
他方、ラビング処理の際、対向基板２０上に形成された配向膜２２に対するラビング方向は、図５（ｂ）中の矢印Ｒｂ２に示すように、ＴＦＴアレイ基板１０側の配向膜１６に対するラビング方向に対して、例えば、垂直方向となる。このように、対向基板２０側の配向膜２２に対するラビング方向は、ＴＦＴアレイ基板１０側の配向膜１６に対するラビング方向と、必ずしも一致するわけではない。
【０１１５】
本実施形態では、図５（ｂ）に示すように、対向基板２０上において、各交差領域Ｆに、ドット状の凸部として形成された第２凸部９０ｂを、配置する。これにより、複数の第２凸部９０ｂを夫々第１凸部９０ａの形状や配置に対応させて、第１凸部９０ａと同様に形成する場合と比較して、複数の第２凸部９０ｂの存在に起因して配向膜２２の表面に生じる凹凸を、このような凹凸形状が形成された表面部分に接触することでラビングローラのクロスが局所的に著しく乱れるのを防止することができる程度に、低減させることができる。よって、対向基板２０の側においても、ラビングローラの周面を形成するクロスの一部分が著しく乱れることにより、配向膜２２においてラビングスジが顕著に発生するのを防止することが可能となる。
【０１１６】
よって、ＴＦＴアレイ基板１０及び対向基板２０の各々について、ラビング処理を良好に行うと共に、液晶装置１において、配向膜１６又は２２におけるラビングスジに起因して、液晶の配向状態に乱れが生じるのを防止することが可能となり、表示画面において表示不良が発生するのを防止することができる。
【０１１７】
よって、以上説明したような本実施形態によれば、液晶装置１において、高品質な画像表示を行うことが可能となる。
【０１１８】
（液晶装置の製造方法）
以上のように構成された液晶装置の製造方法について、図１１及び図１２を参照して説明する。図１１はＴＦＴアレイ基板１０側、及び図１２は対向基板２０側について、夫々、製造プロセスの各工程における構成を、図６の断面図に関して、順を追って示す工程図である。
【０１１９】
以下では、図６に示す各構成要素に係る製造工程について特に詳しく説明し、図１から図４に示す他の構成要素に係る製造工程の詳細な説明に関しては省略する。
【０１２０】
先ず、図１から図４に示す、ＴＦＴアレイ基板１０側の各構成要素について、石英基板、ハードガラス、シリコン基板等のＴＦＴアレイ基板１０を用意し、その上に、プレーナ技術を用いて回路要素を構成する導電膜を第１層から第５層まで順に積層する。具体的には、走査線１１ａ、ＴＦＴ３０、蓄積容量７０、データ線６ａ、容量配線４００及び中継電極等を、導電膜や半導体膜の成膜処理、ドーピング処理、パターニング処理、アニーリング処理等により形成する。尚、第１層−第２層間には下地絶縁膜１２、第２層−第３層間には第１層間絶縁膜４１、第３層−第４層間には第２層間絶縁膜４２、第４層−第５層間には第３層間絶縁膜４３、第５層上には第４層間絶縁膜４４を夫々形成する。
【０１２１】
第４層間絶縁膜４４は、例えば、ＴＥＯＳ（テトラ・エチル・オルソ・シリケート）ガス、ＴＥＢ（テトラ・エチル・ボートレート）ガス、ＴＭＯＰ（テトラ・メチル・オキシ・フォスレート）ガス等を用いた常圧又は減圧ＣＶＤ（Chemical Vapor Deposition）法等により、ＮＳＧ（ノンシリケートガラス）、ＰＳＧ（リンシリケートガラス）、ＢＳＧ（ボロンシリケートガラス）、ＢＰＳＧ（ボロンリンシリケートガラス）等のシリケートガラス膜、若しくは、窒化シリコン膜や酸化シリコン膜等として形成する。このとき、第４層間絶縁膜４４の膜厚は、例えば５００〜２０００μｍ程度とする。この成膜段階では、第４層間絶縁膜４４の表面には、下層の各種回路要素の影響で凹凸が存在している。そこで、ＣＭＰ処理により、第４層間絶縁膜４４の表面を平坦化する。具体的には、例えば研磨プレート上に固定された研磨パッド上に、シリカ粒を含んだ液状のスラリー（化学研磨液）を流しつつ、スピンドルに固定した基板表面（即ち、第４層間絶縁膜４４の表面）を、回転接触させることにより研磨する。そして、時間管理或いは適当なストッパ層を所定位置に形成しておくことにより、研磨処理を停止する。こうして、第４層間絶縁膜４４は、例えば約３００〜１５００μｍ程度の膜厚の平坦化膜とされる。
【０１２２】
これにより、図１１（ａ）において、ＴＦＴアレイ基板１０上は、第４層間絶縁膜４４以下の積層構造が構築された状態となる。尚、図１１（ａ）においては、積層構造の詳細な構成は図示を省略してある。
【０１２３】
次に、図１１（ｂ）において、第４層間絶縁膜４４の平坦面上に、第１凸部９０ａを形成する。具体的には、例えば第４層間絶縁膜４４と同様の材料を用いて、第４層間絶縁膜４４上に絶縁膜４４１を成膜し、その上の第１凸部９０ａの形成領域にフォトレジスト膜を形成し、これをマスクとして絶縁膜４４１にエッチング法を施す。エッチング法として、例えばウエットエッチング法を行ってもよいし、ドライエッチング法を行うようにしてもよい。
【０１２４】
尚、第１凸部９０ａは、第４層間絶縁膜４４に対して、例えば、フォトリソグラフィ法及びエッチング法を施すことにより、形成するようにしてもよい。
【０１２５】
また、図１１（ｂ）を参照して説明した工程の前後において、例えば、反応性イオンエッチング、反応性イオンビームエッチング等のドライエッチング法により、第４層間絶縁膜４４の表面から第３中継電極４０２に至るコンタクトホール８９を開孔しておく。但し、ウエットエッチング法、若しくはドライエッチング法及びウエットエッチング法により、コンタクトホール８９の側壁に多少のテーパを設けるように開孔してもよい。
【０１２６】
次に、図１１（ｃ）において、画素電極９ａを形成する。まず、第４層間絶縁膜４４上に、スパッタ法等により、ＩＴＯ膜等の透明導電性膜を例えば約５０〜２００ｎｍの厚さに堆積する。そして、フォトリソグラフィ法及びエッチング法により、画素電極９ａを形成する。
【０１２７】
次に、図１１（ｄ）において、画素電極９ａが形成されたＴＦＴアレイ基板１０上に、例えばポリイミド材料よりなる塗布液を塗布して膜を形成し、その表面にラビング処理を施すことで、配向膜１６を形成する。
【０１２８】
以上説明したような、ＴＦＴアレイ基板１０側の製造プロセスと並行して又は相前後して、以下に説明するような対向基板側２０の製造プロセスが行われる。
【０１２９】
先ず、図１２（ａ）において、例えばガラス基板等の透明材料により形成される対向基板２０上に、例えば上述した第１凸部９０ａと同様の製造プロセスにより、第２凸部９０ｂを形成する。
【０１３０】
その後、図１２（ｂ）において、例えば格子状の遮光膜２３、及び該遮光膜２３上に対向電極２１を形成する。遮光膜２３は、例えばスパッタ法を用いて、金属材料により形成する。対向電極２１は、例えばＩＴＯ等の透明導電性膜を、スパッタ法等を用いて例えば５０〜２００ｎｍの厚さに堆積することにより形成する。
【０１３１】
その後、図１２（ｃ）において、対向電極２１上に、例えばポリイミド等の有機材料により配向膜２２を形成する。
【０１３２】
尚、以上説明した本実施形態の構成によれば、対向基板２０上の第１層目に第２凸部９０ｂを配置する構成について説明したが、第２凸部９０ｂは、遮光膜２３より上層側であって対向電極２１より下層側に配置されてもよいし、又は対向電極２１より上層側であって配向膜２２より下層側に配置されてもよい。前者の場合、例えば、第２凸部９０ｂについては、対向電極２１と同様の透明導電性膜により、対向電極２１上に形成する。また、後者の場合、対向電極２１上にインクジェット法などによって局所的に有機材料を塗布し、ドット状の第２凸部９０ｂを形成する。このように、インクジェット法を採用する製造工程によれば、第２凸部９０ｂを精度良く且つ容易に形成することが可能となる。
【０１３３】
図１１及び図１２を参照して説明した工程の後、ＴＦＴアレイ基板１０と対向基板２０とを、電極形成面を対向させて、シール材により貼り合わせる。その後、ＴＦＴアレイ基板１０及び対向基板２０の周縁部に形成されたシール材により封止された密閉空間に液晶を注入し、液晶層５０とする。液晶には、例えば複数種のネマティック液晶を混合したものが使用される。以上により、本実施形態の液晶装置が完成する。
【０１３４】
（変形例）
以上説明した本実施形態の変形例について、図１から図１２に加えて、図１３から図１５を参照して説明する。図１３は、本変形例の一の構成について、図６に対応する断面部分を示す断面図である。また、図１４は、本変形例の他の構成について、ＴＦＴアレイ基板上１０の任意の４つの画素電極９ａと第１凸部との配置関係を概略的に示す概略平面図であり、図１５は、図１４に示す本変形例の他の構成に係る製造プロセスの各工程における断面部分の構成を、順を追って示す工程図である。
【０１３５】
先ず、図１３において、第１凸部９０ａは、ＴＦＴアレイ基板１０に対して垂直方向の高さｄ１ａが、該第１凸部９０ａの存在に起因して配向膜１６の表面に発生する凸部１６ａが対向基板２０側の配向膜２２の表面に接触するような値として形成されてもよい。或いは、第２凸部９０ｂの、対向基板２０に対して垂直方向の高さｄ１ｂが、該第２凸部９０ｂの存在に起因して配向膜２２の表面に発生する凸部２２ａがＴＦＴアレイ基板１０側の配向膜１６の表面に接触するような値として形成されてもよい。
【０１３６】
これにより、第１凸部９０ａ及び第２凸部９０ｂにより貝柱状のスペーサを構成することが可能となる。即ち、ＴＦＴアレイ基板１０及び対向基板２０のギャップは、第１凸部９０ａ及び第２凸部９０ｂの各々の高さｄ１ａ及びｄ１ｂにより決定されることとなる。よって、液晶装置１の製造プロセスにおいて、第１凸部９０ａ及び第２凸部９０ｂの形成とは別にギャップ材を形成する工程を省略して、より容易に電気光学装置を製造することができる。
【０１３７】
次に、図１４において、ＴＦＴアレイ基板１０上において、前記走査線１１ａの延在方向に沿って延びる領域Ｊ０内に、複数の第１凸部９０ａａが、夫々、ドット状の凸部として形成されると共に、走査線１１ａの延在方向に沿って配列されて形成されてもよい。
【０１３８】
このように構成すれば、横電界が発生するＴＦＴアレイ基板１０側において、前記走査線の延在方向に沿って延びる領域Ｊ０内で、概ね全体的に、横電界をより効果的に低減させることが可能となる。
【０１３９】
また、この場合も、図１４中、矢印Ｒｂ１によって示すように、ＴＦＴアレイ基板１０上において、配向膜１６に対するラビング処理は、ラビング方向を、走査線１１ａの延在方向に一致させて行うようにするとよい。これにより、複数の第１凸部９０ａａの配列方向にラビング方向を一致させることができる。
【０１４０】
更に、ＴＦＴアレイ基板１０上において、複数の第１凸部９０ａａは夫々互いに分離して形成されるため、例えば、ＴＦＴアレイ基板１０上に平面的に見て、第１凸部９０ａａを走査線１１ａに沿って前記走査線１１ａの延在方向に沿って延びる領域Ｊ０内に、ライン状に形成する場合と比較して、配向膜１６ａの表面に、第１凸部９０ａａの存在に起因して生じる凹凸を低減させることができる。
【０１４１】
従って、ラビングローラの周面を形成するクロスのうち、複数の第１凸部９０ａａの存在に起因して配向膜１６の表面に形成された凸部に当接される一部分において、該凸部との接触によって付与される圧力を低減することが可能となる。
【０１４２】
次に、図１５を参照して、図１４に示す本変形例の他の構成に係る製造プロセスについて、説明する。尚、以下では、本変形例において、特に特徴的な第１凸部９０ａａに係る製造工程についてのみ、詳しく説明する。
【０１４３】
図１５（ａ）において、第４層間絶縁膜４４上に、画素電極９ａが形成された状態にある。続いて、図中上側から、例えばインクジェット法を用いて有機材料等の塗布材料を、第４層間絶縁膜４４上の第１凸部９０ａａの配置部分に塗布する。
【０１４４】
これにより、図１５（ｂ）に示すように、第４層間絶縁膜４４の平坦面上に、第１凸部９０ａａが形成される。
【０１４５】
従って、本変形例の他の構成によれば、より簡易な製造プロセスにより、複数の第１凸部９０ａａを形成することが可能となる。そして、上述したようにインクジェット法を用いることにより、前記走査線１１ａの延在方向に沿って延びる領域Ｊ０内に、精度良く且つ容易に、第１凸部を形成することができる。
【０１４６】
尚、本変形例の他の構成では、図１３を参照して説明したように、対向基板２０側の第２凸部９０ｂと共に貝柱状のスペーサを構成するように、複数の第１凸部９０ａａを形成してもよい。この場合、第２凸部９０ｂ及び第１凸部９０ａａの夫々を形成する際、高精度が要求される恐れがある。よって、このような製造に係る煩雑さを回避すべく、ＴＦＴアレイ基板１０上では、交差領域Ｆに第１凸部９０ａａが配置されないように、複数の第１凸部９０ａａを形成するようにしてもよい。
【０１４７】
例えば、交差領域では、第２凸部を単独で貝柱状のスペーサとして機能させるように、交差領域に第１凸部を形成しないと共に、第２凸部の高さをスペーサとして要求される基板間ギャップと同一高さにまで高めて形成してもよい。更に、これに代えて又は加えて、交差領域を除く間隙領域では、第１凸部を単独で又は第２凸部と共に貝柱状のスペーサとして機能させるように、交差領域に第１凸部を形成しないと共に、第１凸部の高さをスペーサとして要求される基板間ギャップと同一高さにまで高めて形成してもよい。
【０１４８】
（電気光学装置の全体構成）
以上の実施形態及び変形例に係る液晶装置の全体構成を、図１６及び図１７を参照して説明する。尚、図１６は、ＴＦＴアレイ基板１０をその上に形成された各構成要素と共に対向基板２０の側から見た平面図であり、図１７は、図１６のＨ−Ｈ´断面図である。
【０１４９】
図１６において、ＴＦＴアレイ基板１０上にはシール材５２がその周縁に沿って設けられており、その内側に、画像表示領域１０ａの周辺を規定する額縁状の遮光膜５３が設けられている。シール材５２の外側の領域には、データ線６ａに画像信号を所定タイミングで供給することによりデータ線６ａを駆動するデータ線駆動回路１０１及び外部回路接続端子１０２がＴＦＴアレイ基板１０の一辺に沿って設けられている。また、この一辺に隣接する２辺のいずれかに沿って、走査線３ａに走査信号を所定タイミングで供給することにより走査線３ａを駆動する走査線駆動回路１０４が設けられている。尚、走査線３ａに供給される走査信号遅延が問題になる場合には、走査線駆動回路１０４を、データ線駆動回路１０１及び外部回路接続端子１０２が設けられたＴＦＴアレイ基板１０の一辺に隣接する２辺に沿って設けるようにしてもよい。この場合、ＴＦＴアレイ基板１０の残る一辺に沿って設けられた複数の配線によって、二つの走査線駆動回路１０４は互いに接続されるようにする。或いは、データ線駆動回路１０１を画像表示領域１０ａの両側に配置させてもよい。
【０１５０】
また、対向基板２０の角部の少なくとも１箇所には、ＴＦＴアレイ基板１０と対向基板２０との間を電気的に導通させる上下導通材１０６が設けられている。そして、図１７に示すように、図１６に示したシール材５２とほぼ同じ輪郭を持つ対向基板２０が当該シール材５２によりＴＦＴアレイ基板１０に固着されている。
【０１５１】
尚、ＴＦＴアレイ基板１０上には、これらデータ線駆動回路１０１、走査線駆動回路１０４等に加えて、複数のデータ線６ａに画像信号を所定のタイミングで印加するサンプリング回路、複数のデータ線６ａに所定電圧レベルのプリチャージ信号を画像信号に先行して各々供給するプリチャージ回路、製造途中や出荷時の当該電気光学装置の品質、欠陥等を検査するための検査回路等を形成してもよい。
【０１５２】
また、投射光が入射する対向基板２０側及び出射光が出射するＴＦＴアレイ基板１０側には、夫々、例えばＴＮ（Twisted Nematic）モード、ＳＴＮ（Super Twisted Nematic）モード、ＶＡ（Vertically Aligned）モード、ＰＤＬＣ(Polymer Dispersed Liquid Crystal)モード等の動作モードや、ノーマリーホワイトモード／ノーマリーブラックモードの別に応じて、偏光フィルム、位相差フィルム、偏光板などが所定の方向で配置される。
【０１５３】
以上に説明した液晶装置１は、例えばプロジェクタに適用される。この場合、３つの液晶装置がＲＧＢ３原色夫々のライトバルブとして用いられる（図１８参照）。或いは、以上に説明した液晶装置は、プロジェクタ以外の直視型や反射型のカラー表示装置に適用することもできる。その場合、対向基板２０上における画素電極９ａに対向する領域に、ＲＧＢのカラーフィルタをその保護膜と共に形成すればよい。あるいは、ＴＦＴアレイ基板１０上のＲＧＢに対向する画素電極９ａ下にカラーレジスト等でカラーフィルタ層を形成することも可能である。更に、この態様において、対向基板２０上に１画素に１個対応するマイクロレンズを形成するようにすれば、入射光の集光効率が向上するため、表示輝度を向上させることができる。更にまた、対向基板２０上に、何層もの屈折率の相違する干渉層を堆積することで、光の干渉を利用してＲＧＢ色を作り出すダイクロイックフィルタを形成してもよい。このダイクロイックフィルタ付き対向基板によれば、より明るい表示が可能となる。
【０１５４】
尚、以上の説明においては、データ線駆動回路１０１及び走査線駆動回路１０４をＴＦＴアレイ基板１０上に設けるようにしたが、その代わりに、例えばＴＡＢ（Tape Automated bonding）基板上に実装された駆動用ＬＳＩに、ＴＦＴアレイ基板１０の周辺部に設けられた異方性導電フィルムを介して電気的及び機械的に接続するようにしても構わない。
【０１５５】
なお、上述の本発明の実施形態では液晶装置を例にとって説明したが、本発明が適用可能な液晶装置には半導体基板を用いた反射型液晶装置（ＬＣＯＳ）も含まれる。
【０１５６】
また、プラズマディスプレイや電子放出素子を用いたディスプレイであるＳＥＤ（Surface-Conduction Electron-Emitter Display）等などの電気光学装置においても、隣接する画素間に生じる電界の影響を緩和するなどの目的で本発明を応用することが可能である。
【０１５７】
（電子機器）
次に、以上詳細に説明した液晶装置を電子機器に適用する場合について説明する。
【０１５８】
ここでは、この電気光学装置たる液晶装置をライトバルブとして用いたプロジェクタについて説明する。図１８は、プロジェクタの構成例を示す平面図である。この図に示されるように、プロジェクタ１１００内部には、ハロゲンランプ等の白色光源からなるランプユニット１１０２が設けられている。このランプユニット１１０２から射出された投射光は、ライトガイド内に配置された４枚のミラー１１０６および２枚のダイクロイックミラー１１０８によってＲＧＢの３原色に分離され、各原色に対応するライトバルブとしての液晶装置１００Ｒ、１００Ｂおよび１００Ｇに入射される。液晶装置１００Ｒ、１００Ｂおよび１００Ｇの構成は上述した液晶装置と同等であり、それぞれにおいて画像信号処理回路から供給されるＲ、Ｇ、Ｂの原色信号が変調される。これらの液晶装置によって変調された光は、ダイクロイックプリズム１１１２に３方向から入射される。ダイクロイックプリズム１１１２では、ＲおよびＢの光が９０度に屈折する一方、Ｇの光が直進する。これにより各色の画像が合成され、投射レンズ１１１４を介して、スクリーン１１２０等にカラー画像が投写される。
【０１５９】
以上では、本発明の電気光学装置の一具体例として液晶装置を挙げて説明したが、本発明の電気光学装置は、その他にも例えば電子ペーパなどの電気泳動装置や、電子放出素子を用いた表示装置（Field Emission Display及びSurface-Conduction Electron-Emitter Display）等として実現することができる。また、このような本発明の電気光学装置は、先に説明したプロジェクタの他にも、テレビジョン受像機や、ビューファインダ型或いはモニタ直視型のビデオテープレコーダ、カーナビゲーション装置、ページャ、電子手手帳、電卓、ワードプロセッサ、ワークステーション、テレビ電話、ＰＯＳ端末、タッチパネルを備えた装置等の各種の電子機器に適用可能である。
【０１６０】
本発明は、上述した実施形態に限られるものではなく、請求の範囲及び明細書全体から読み取れる発明の要旨或いは思想に反しない範囲で適宜変更可能であり、そのような変更を伴う電気光学装置、及びこのような電気光学装置を具備してなる電子機器もまた本発明の技術的範囲に含まれるものである。
【図面の簡単な説明】
【０１６１】
【図１】本発明の一実施形態に係る液晶装置の構成を示す等価回路図である。
【図２】図１に示した液晶装置の具体的な構成を表す部分平面図である。
【図３】図１に示した液晶装置の具体的な構成を表す部分平面図である。
【図４】図２及び図３のＡ−Ａ´断面図である。
【図５】図５（ａ）は、画素電極と第１凸部との配置関係を概略的に示す概略平面図であり、図５（ｂ）は、画素電極に対する第２凸部の配置に係る構成を概略的に示す概略平面図である。
【図６】図５に示すＢ−Ｂ´線における拡大断面図である。
【図７】図７（ａ）及び図７（ｂ）は、１Ｈ反転駆動方式を説明するための模式図である。
【図８】図８（ａ）から図８（ｄ）は、１Ｖ反転駆動方式を説明するための模式図である。
【図９】駆動時の走査線の延在方向に沿って延びる領域付近の電気力線の分布状態を模式的に表す図である。
【図１０】比較例について、駆動時の走査線の延在方向に沿って延びる領域付近の電気力線の分布状態を模式的に表す図である。
【図１１】ＴＦＴアレイ基板側の製造プロセスの各工程における構成を、図６の断面図に関して、順を追って示す工程図である。
【図１２】対向基板側の製造プロセスの各工程における構成を、図６の断面図に関して、順を追って示す工程図である。
【図１３】本変形例の一の構成について、図６に対応する断面部分を示す断面図である。
【図１４】本変形例の他の構成について、画素電極と第１凸部との配置関係を概略的に示す概略平面図である。
【図１５】図１４に示す本変形例の他の構成に係る製造プロセスの各工程における断面部分の構成を、順を追って示す工程図である。
【図１６】本実施形態における液晶装置の全体構成を表す平面図である。
【図１７】図１６のＨ−Ｈ´断面図である。
【図１８】本発明の電子機器の一実施形態に係る液晶プロジェクタの構成を表す断面図である。
【符号の説明】
【０１６２】
１…液晶装置、６ａ…データ線、９ａ…画素電極、１０…ＴＦＴアレイ基板、１０ａ…画像表示領域、１１ａ…走査線、２０…対向基板、５０…液晶層、９０ａ…第１凸部、９０ｂ…第２凸部
【図１】
2007025148.tif 000003
【図２】
2007025148.tif 000004
【図３】
2007025148.tif 000005
【図４】
2007025148.tif 000006
【図５】
2007025148.tif 000007
【図６】
2007025148.tif 000008
【図７】
2007025148.tif 000009
【図８】
2007025148.tif 000010
【図９】
2007025148.tif 000011
【図１０】
2007025148.tif 000012
【図１１】
2007025148.tif 000013
【図１２】
2007025148.tif 000014
【図１３】
2007025148.tif 000015
【図１４】
2007025148.tif 000016
【図１５】
2007025148.tif 000017
【図１６】
2007025148.tif 000018
【図１７】
2007025148.tif 000019
【図１８】
2007025148.tif 000020